(57)【特許請求の範囲】
【請求項１】
接地面部にルーズホールを有すると共に、同接地面部の一端にパネルを下地鋼材に留め付ける上方に立ち上がった釣状つめ部を備えたパネル取り付け金具であって、
前記釣状つめ部の立ち上がり境界部に前記接地面部から水平方向に延出する突出部を設けた
ことを特徴とするパネル取り付け金具。
【請求項２】
前記突出部を前記釣状つめ部の立ち上がり境界部分を打ち抜いて形成した
ことを特徴とする請求項１に記載のパネル取り付け金具。
【請求項３】
前記突出部を前記ルーズホールの長さ方向の延長線上であって前記接地面部の幅方向の中央部に設けた
ことを特徴とする請求項１又は２に記載のパネル取り付け金具。
【請求項４】
ルーズホールの長さ方向に沿ってその両側にリブを形成した
ことを特徴とする請求項１乃至３のいずれかに記載のパネル取り付け金具。
【発明の詳細な説明】
【０００１】
【発明の属する技術分野】
本発明は、建物の外壁材となる押出成形セメント板やＡＬＣ（Autoclaved Lightweight Concrete）パネル等を建物の躯体側に設けられたＣ型チャンネル材からなる下地鋼材に留め付けるための、所謂パネル取り付け金具に関するものである。
【０００２】
【従来の技術】
図３乃至図６に示すように建物の躯体に押出成形セメント板やＡＬＣ等のパネル２１を取り付ける場合、クリップ金具２２ＡやＺクリップ２２Ｂと称されているパネル取り付け金具２２を用いて、建物躯体側に設けられているＣ型チャンネル材２３ＡやＬ型アングル材２３Ｂ等の下地鋼材２３を抑えることにより、パネル２１を下地鋼材２３に対して留め付けるようにしている。
パネル取り付け金具２２には、接地面部２４の中央部にルーズホール２５が設けられ、この取り付け金具２２はパネル２１の中空部内に配置された内挿ナット２６に取り付け用のボルト２７を介して定着されるようになっている。
【０００３】
一般にパネル２１を下地鋼材２３に留め付ける際、図３、４に示すように下地鋼材２３がＣ型チャンネル材２３Ａである場合には、一端部に上方へ立ち上がった釣状つめ部２８を有するクリップ金具２２Ａと称される取り付け金具２２が用いられ、また、下地鋼材２３がＬ型アングル材２３Ｂである場合には、図５に示すようにフラットな留め付け面２９を有するＺクリップ２２Ｂと称される取り付け金具２２が用いられている。
【０００４】
これらの取り付け金具２２をパネル２１にボルト２７を介して定着するためのボルト穴は、通常上記したようにルーズホール２５となっており、このルーズホール２５によって地震時等に発生するパネル２１と建物躯体側の下地鋼材２３間の層間変位に追従できるよう構成されている。
このため、ルーズホール２５の範囲内での層間変位に対しては、パネル２１が破壊したり、脱落したりする可能性は殆どない。
【０００５】
図６の（Ａ）、（Ｂ）、（Ｃ）は、それぞれ地震時の振動等によって発生した層間変位の状態を示したもので、（Ａ）は通常の状態を示し、（Ｂ）及び（Ｃ）は、それぞれ下地鋼材２３が矢印方向に移動し、下地鋼材２３の間隔が狭くなる方向に変位した場合におけるパネル２１と下地鋼材２３間の層間変位の状態を示したものである。
なお、層間変位では、パネル２１の取り付け下地である下地鋼材２３が左右にずれるため、図示のようにパネルの取り付け下地はパネル２１の取り付け幅に対して狭くなる方向に移動（層間変位）することになる。
【０００６】
ここで、取り付け金具２２としてＺクリップ２２Ｂを用いてパネル２１をＬ型アングル材２３Ｂに取り付ける場合、地震時の振動や経年変化により取り付け金具２２に緩みが生じたとき、Ｚクリップ２２Ｂが金具取り付け用ボルト２７を中心に回転して留め付け面２９がＬ型アングル材２３Ｂから外れる可能性があるため、留め付け後に必ずＺクリップ２２ＢとＬ型アングル材２３Ｂを溶接するようにしている。
従って、層間変位に対する許容範囲はルーズホール２５の範囲によって決まることになる。
【０００７】
一方、クリップ金具２２Ａを用いてパネル２１をＣ型チャンネル材２３Ａに取り付けた場合、クリップ金具２２Ａの釣状つめ部２８の係止部分がＣ型チャンネル材２３Ａのフランジ部分に係止しているため、地震時の振動や経年変化によりクリップ金具２２Ａに緩みが生じても、クリップ金具２２Ａが回転することはなく、クリップ金具２２Ａの釣状つめ部２８がＣ型チャンネル材２３Ａから外れる心配がないため、Ｚクリップ２２Ｂのように溶接はしていない。
【０００８】
しかしながら、クリップ金具２２Ａの場合、釣状つめ部２８の係止部分が傾斜面によって形成されているため、地震時の層間変位でパネル２１が大幅に変位すると、図４に示すようにＣ型チャンネル材２３Ａが釣状つめ部２８の傾斜面に沿って矢印方向（逆方向の場合もある）に移動し、クリップ金具２２Ａが図示のようにパネル２１から浮き上がる可能性があった。
仮にこのような場合でも、パネル２１や取り付け金具２２が脱落することはないが、層間変位に対して不安定さが残ることになるため、より高い安全性が求められている状況にある。
【０００９】
【発明が解決しようとする課題】
本発明は、上記の問題を解消することを目的としてなされたものであり、その第一の課題は、外壁材等のパネルを取り付け金具を介して建物躯体側の下地鋼材に留め付ける場合において、地震時等における層間変位に対して一層安全性を高めることができるパネル取り付け金具を提供することにある。
本発明のもう一つの課題は、上記のような取り付け金具をコストアップを伴うことなく安価に提供できると共に、層間変位時の移動規制を安定化でき、しかも十分な強度を確保できるパネル取り付け金具を供することにある。
【００１０】
【課題を解決するための手段】
上記した課題を解決するため、本発明に係るパネル取り付け金具は、接地面部にルーズホールを有すると共に、同接地面部の一端にパネルを下地鋼材に留め付ける上方に立ち上がった釣状つめ部を備えたパネル取り付け金具であって、前記釣状つめ部の立ち上がり境界部に前記接地面部から水平方向に延出する突出部を設けたことを特徴とするもので、接地面部から水平方向に延出された突出部を下地鋼材に接触させておくことにより、層間変位が大きくパネルがルーズホールの範囲を越えて移動しようとしても、突出部がそれを規制し下地鋼材が釣状つめ部の傾斜面に沿って移動するのを制限できるため、層間変位による移動をルーズホールの範囲内に抑えて取り付け金具の浮き上がりを防止することができる。
【００１１】
また、本発明に係るパネル取り付け金具は、上記したパネル取り付け金具において、前記突出部を前記釣状つめ部の立ち上がり境界部分を打ち抜いて形成したことを特徴とするもので、突出部を釣状つめ部の立ち上がり境界部分を打ち抜いて形成しているため、金具を大幅に構造変更することなく抜き型の変更のみにより簡易に製作することができる。
【００１２】
また、本発明に係るパネル取り付け金具は、上記したパネル取り付け金具において、前記突出部を前記ルーズホールの長さ方向の延長線上であって前記接地面部の幅方向の中央部に設けたことを特徴とするもので、突出部をルーズホールの長さ方向の延長線上で接地面部の幅方向の中央部に設け、ルーズホールの延長線上で突出部を下地鋼材に接触させるようにしているため、接触による移動規制を安定化することができる。
【００１３】
更に、本発明に係るパネル取り付け金具は、上記したパネル取り付け金具において、ルーズホールの長さ方向に沿ってその両側にリブを形成したことを特徴とするもので、釣状つめ部の立ち上がり境界部分を打ち抜いて突出部を形成しても、その両側に沿ってリブを形成しているため、金具としての必要強度を十分に確保することができる。
【００１４】
【発明の実施の形態】
以下に本発明の実施形態を図１及び図２に基づいて説明する。
図１は本発明の実施形態に係るパネル取り付け金具を示す平面図（Ａ）とその右側面図（Ｂ）及び下方側面図（Ｃ）並びにＳ部拡大図（Ｄ）、図２は同取り付け金具によるパネル留め付け状態を示す側面図である。
【００１５】
図１、２中において、１は押し出し成形セメント板やＡＬＣ（Autoclaved Lightweight Concrete）等のパネル１０を、建物躯体側のＣ型チャンネル材からなる下地鋼材１１に留め付けるための、パネル取り付け金具である。
このパネル取り付け金具１には、接地面部２の中央部にボルト孔であるルーズホール３が設けられると共に、一端部には下地鋼材１１への釣状つめ部４が、他端部にはダックテール５がそれぞれ折り曲げ形成されている。
【００１６】
パネル取り付け金具１は、図２に示すように中央部に設けられたボルト孔であるルーズホール３にボルト１２を通し、パネル１０の中空部に配置されている内挿ナット１３に対してボルト１２を締めつけることにより、定着されるようになっている。
なお、パネル取り付け金具１の接地面部２には、ルーズホール３に沿ってその両側に補強用リブ６が設けられている。
【００１７】
また、パネル取り付け金具１の釣状つめ部４は、下地鋼材３であるＣ型チャンネル材のフランジ部分に係止できるように接地面部２の一端部から斜め上方へ立ち上げて設けられており、傾斜面によって∧状に形成されている。
一方、パネル取り付け金具１の接地面部２の他端部に折り曲げ形成されているダックテール５は、図１（Ｄ）に示すように折り曲げ端部にいったん所定寸法だけ接地面部２の下面側へ落とし込んだ落とし込み部７を設け、その落とし込み部７に連続して端部を所定角度θで上面側へ跳ね上げた跳ね上げ部８を設けることにより形成されている。
【００１８】
また、パネル取り付け金具１の釣状つめ部４の立ち上がり境界部には、接地面部２から水平方向に延出する突出部９が設けられている。この突出部９は、釣状つめ部４の立ち上がり境界部分を打ち抜いて水平方向に延出させることにより形成され、また、ルーズホール３の長さ方向の延長線上であって、かつ接地面部２の幅方向の中央部に形成されている。なお、上記した補強用リブ６は、この突出部９の両側まで延長され、釣状つめ部４の立ち上がり境界部分にかかるように設けられている。
【００１９】
しかして、上記の実施形態において、パネル取り付け金具１は、図２に示すように取り付け用ボルト１２をパネル１０内に配置された内挿ナット１３にねじ込むことによって定着され、パネル１０をＣ型チャンネル材からなる建物躯体側の下地鋼材１１に対して留め付けする。
そして、この留め付け状態において、パネル取り付け金具１はその釣状つめ部４が下地鋼材１１のフランジ部に係止され、突出部９が下地鋼材１１のフランジ部の下方に接触されるように定着される。
【００２０】
このため、地震時の振動等によりパネル１０と下地鋼材１１側との間で層間変位が発生しても、その移動範囲はパネル取り付け金具１のルーズホール３の長さ範囲に確実に制限されることになる。
すなわち、パネル取り付け金具１の突出部９が下地鋼材１１のフランジ部の下方に接触していることから、下地鋼材１１がパネル取り付け金具１の釣状つめ部４の傾斜面に沿って図２の矢印方向に更に移動しようとしても、突出部９との接触によってその移動が規制される。
【００２１】
従って、層間変位によるパネル１０と下地鋼材１１との間の移動は、確実にルーズホール３の範囲内に制限され、下地鋼材１１が釣状つめ部４の傾斜面に沿って移動することによりパネル取り付け金具１が浮き上がるのを防止することができるため、層間変位に対しての安全性を一層高めることができる。
また、突出部９を釣状つめ部の立ち上がり境界部分を打ち抜き形成し、層間変位に対して安全性を向上できる取り付け金具１を抜き型の変更のみで容易に製作できるようにしているため、従来の金具に対してコストアップすることなく、安価に製作することができる。
【００２２】
更に、突出部９をルーズホール３の長さ方向の延長線上で接地面部２の幅方向の中央部に設け、ルーズホール３の延長線上で突出部９を下地鋼材１１に接触させるようにしているため、突出部９と下地鋼材１１との接触による下地鋼材１１の移動規制を安定化することができると共に、釣状つめ部４の立ち上がり境界部分を打ち抜いて突出部９を形成しても、その両側まで延長して補強用のリブ６を形成しているため、取り付け金具１としての必要強度を十分に確保することができる。
【００２３】
なお、上記実施形態では、パネル取り付け金具１の他端部にダックテール５を折り曲げ形成しているため、このダックテール５の作用により層間変位時におけるパネル１０の動きをスムーズ化することができる。
【００２４】
【発明の効果】
以上に詳細に説明したように、本発明に係るパネル取り付け金具によると、接地面部から水平方向に延出された突出部によって下地鋼材の移動を規制し、層間変位時に下地鋼材が釣状つめ部の傾斜面に沿って移動することによる取り付け金具の浮き上がりを防止することができるため、層間変位に対しての安全性を一層高めることができる。
【００２５】
また、上記の取り付け金具を抜き型の変更のみで製作できるため、コストアップを伴うことなく安価に提供することができる。
しかも、突出部を中央部に形成しているため、移動規制を安定化することができると共に、突出部の両側にリブを形成しているため、取り付け金具としての必要強度を十分に確保することができる。
【図面の簡単な説明】
【図１】本発明の実施形態に係るパネル取り付け金具を示す平面図（Ａ）とその右側面図（Ｂ）及び下方側面図（Ｃ）並びにＳ部拡大図（Ｄ）である。
【図２】本発明のパネル取り付け金具によるパネル留め付け状態を示す側面図である。
【図３】従来のクリップ金具によるパネル留め付け状態を示す側面図である。
【図４】クリップ金具によるパネル留め付け時の層間変位状態を示す側面図である。
【図５】従来のＺクリップによるパネル留め付け状態を示す側面図である。
【図６】パネルと下地鋼材間の層間変位状態を説明する正面図である。
【符号の説明】
１…パネル取り付け金具、２…接地面部、３…ルーズホール、４…釣状つめ部、６…リブ、９突出部、１０…パネル、１１…下地鋼材
【図１】
0004105372.tif 000002
【図２】
0004105372.tif 000003
【図３】
0004105372.tif 000004
【図４】
0004105372.tif 000005
【図５】
0004105372.tif 000006
【図６】
0004105372.tif 000007